(57)【要約】【課題】光通信において複数のユーザに対して、複数のプロトコルを持つサービスを提供し、また拡張性の高いシステムを構築する。【解決手段】センタ局と通信を行う複数のユーザの各々に異なる波長を割り当て、これら異なる複数の波長の信号を送信する複数のレーザから送信された光を合波して光ファイバで伝送する波長分割多重システムにおいて、複数のレーザから送信される光の波長は、各ユーザに対して波長の間隔が狭間隔である複数の波長からなる波長群が割り当てられ、各ユーザに割り当てられた波長群の信号を合波、分波する広波長間隔の光合波器及び光分波器又はそれらを統合した光合分波器を備え、これにより前記各ユーザに割り当てられた光信号の多重化を行う。【選択図】　　　　図１
2004032439.tif 000002
【特許請求の範囲】
【請求項１】
センタ局と通信を行う複数のユーザの各々に異なる波長を割り当て、これら異なる複数の波長の信号を送信する複数のレーザから送信された光を合波し、合波された光信号を光ファイバで伝送する波長分割多重システムにおいて、
前記複数のレーザから送信される光の波長は、前記各ユーザに対して波長の間隔が狭間隔である複数の波長からなる波長群が割り当てられ、前記各ユーザに割り当てられた波長群の信号を合波、分波する広波長間隔の光合波器及び光分波器又はそれらを統合した光合分波器を備え、これにより前記各ユーザに割り当てられた光信号の多重化を行うことを特徴とする波長分割多重システム。
【請求項２】
請求項１に記載の波長分割多重システムの前記センタ局に設置される光送受信装置において、前記各ユーザへの下り信号に割り当てられた波長の間隔が狭間隔である複数の波長の信号を送信するレーザと、前記各ユーザへの下り信号に割り当てられた狭間隔の複数の波長の信号を合波する狭波長間隔の光合波器と、前記各ユーザへの下り信号に割り当てられた波長群の信号を合波して送信する広波長間隔の光合波器と、前記各ユーザから送られてきた上り信号を前記各ユーザからの上り信号に割り当てられた波長群ごとに分波する広波長間隔の光分波器と、前記各ユーザからの上り信号の各波長群の信号を構成する狭波長間隔の複数の波長の信号を分離する狭波長間隔の光分波器を備えることを特徴とするセンタ局光送受信装置。
【請求項３】
請求項１に記載の波長分割多重システムの前記光合分波装置において、前記センタ局から前記各ユーザへの下り信号に割り当てられた波長群の信号を分波する機能と、前記各ユーザから前記センタ局への上り信号に割り当てられた波長群の信号を合波する機能を備えることを特徴とする光合分波装置。
【請求項４】
請求項１に記載の波長分割多重システムに使用する前記各ユーザに設置される光送受信装置において、各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を送信するレーザと、前記各ユーザの下り信号に割り当てられた狭間隔の複数の波長の信号を合波する狭波長間隔の光合波器を備えることを特徴とするユーザ光送受信装置。
【請求項５】
前記センタ局から前記各ユーザへの分岐点への下り信号と分岐点から前記センタ局への上り信号をそれぞれ異なる１本の光ファイバで伝送し、上り、下り信号共に前記各ユーザに割り当てられる波長が同じであることを特徴とする請求項１に記載の波長分割多重システム。
【請求項６】
請求項２に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は同じ波長であり、前記各ユーザへの下り信号に割り当てられた波長の間隔が狭間隔である複数の波長の信号を送信するレーザと、前記各ユーザへの下り信号に割り当てられた狭間隔の複数の波長の信号を合波する狭波長間隔の光合波器と、前記各ユーザへの下り信号に割り当てられた波長群の信号を合波して送信する広波長間隔の光合波器と、各ユーザから送られてきた上り信号を各ユーザからの上り信号に割り当てられた波長群ごとに分波する広波長間隔の光分波器と、前記各ユーザからの上り信号の各波長群の信号を構成する狭波長間隔の複数の波長の信号を分離する狭波長間隔の光分波器を備えることを特徴とするセンタ局光送受信装置。
【請求項７】
請求項３に記載の光合分波装置において、前記各ユーザへの下り信号に割り当てられた波長の間隔が狭間隔である複数の波長と、前記各ユーザからの上り信号に割り当てられた波長の間隔が狭間隔である複数の波長は同じ波長であり、前記センタ局から前記各ユーザへの下り信号に割り当てられた波長群の信号を分波する機能を有する広波長間隔の光分波器と、前記各ユーザから前記センタ局への上り信号に割り当てられた波長群の信号を合波する機能を有する広波長間隔の光合波器を備えることを特徴とする光合分波装置。
【請求項８】
請求項４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は同じ波長であり、前記各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を送信するレーザと、前記各ユーザの上り信号に割り当てられた狭間隔の複数の波長の信号を合波する狭波長間隔の光合波器を備えることを特徴とするユーザ光送受信装置。
【請求項９】
前記センタ局から前記各ユーザへの分岐点への下り信号と分岐点から前記センタ局への上り信号を同じ１本の光ファイバで伝送し、上り、下り信号共に前記各ユーザに割り当てられる波長が異なることを特徴とする請求項１に記載の波長分割多重システム。
【請求項１０】
請求項２に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長であり、前記各ユーザへの下り信号に割り当てられた波長の間隔が狭間隔である複数の波長の信号を送信するレーザと、前記各ユーザへの下り信号に割り当てられた狭間隔の複数の波長の信号を合波する狭波長間隔の光合波器と、前記各ユーザへの下り信号に割り当てられた波長群の信号を合波し、かつ前記各ユーザから送られてきた上り信号を前記各ユーザからの上り信号に割り当てられた波長群ごとに分波する広波長間隔の光合分波器と、前記各ユーザからの下り信号の各波長群の信号を構成する狭波長間隔の複数の波長の信号を分離する狭波長間隔の光分波器を備えることを特徴とするセンタ局光送受信装置。
【請求項１１】
請求項３に記載の光合分波装置において、前記各ユーザへの下り信号に割り当てられた波長の間隔が狭間隔である複数の波長と、前記各ユーザからの上り信号に割り当てられた波長の間隔が狭間隔である複数の波長は異なる波長であり、前記センタ局から前記各ユーザへの下り信号に割り当てられた波長群の信号を分波する機能と、前記各ユーザから前記センタ局への上り信号に割り当てられた波長群の信号を合波する機能を有する広波長間隔の光合分波器を備えることを特徴とする光合分波装置。
【請求項１２】
請求項４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長であり、前記各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を送信するレーザと、前記各ユーザの上り信号に割り当てられた狭間隔の複数の波長の信号を合波する狭波長間隔の光合波器を備えることを特徴とするユーザ光送受信装置。
【請求項１３】
前記センタ局から前記各ユーザへの分岐点への下り信号と分岐点から前記センタ局への上り信号を同じ１本の光ファイバで伝送し、上り、下り信号に対して前記各ユーザに割り当てられる波長が１．３μｍ帯と１．５５μｍ帯のように異なる波長帯を割り当てることを特徴とする請求項１に記載の波長分割多重システム。
【請求項１４】
請求項２に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は１．３μｍ帯と１．５５μｍ帯のように異なる波長帯が割り当てられており、前記各ユーザへの下り信号に割り当てられた波長の間隔が狭間隔である複数の波長の信号を送信するレーザと、前記各ユーザへの下り信号に割り当てられた狭間隔の複数の波長の信号を合波する狭波長間隔の光合波器と、前記各ユーザへの下り信号に割り当てられた波長群の信号を合波して送信する広波長間隔の光合波器と、前記各ユーザから送られてきた上り信号を前記各ユーザからの上り信号に割り当てられた波長群ごとに分波する広波長間隔の光分波器と、前記各ユーザからの上り信号の各波長群の信号を構成する狭波長間隔の複数の波長の信号を分離する狭波長間隔の光分波器と、波長帯の異なる下り信号、上り信号の分離を行う１．３／１．５５μｍ波長合分波器を備えることを特徴とするセンタ局光送受信装置。
【請求項１５】
請求項３に記載の光合分波装置において、前記各ユーザへの下り信号に割り当てられた波長の間隔が狭間隔である複数の波長と、前記各ユーザからの上り信号に割り当てられた波長の間隔が狭間隔である複数の波長は１．３μｍ帯と１．５５μｍ帯のように異なる波長帯が割り当てられており、波長帯の異なる下り信号、上り信号の分離を行う１．３／１．５５μｍ波長合分波器と、前記センタ局から前記各ユーザへの下り信号に割り当てられた波長群の信号を分波する機能を有する広波長間隔の光分波器と、前記各ユーザから前記センタ局への上り信号に割り当てられた波長群の信号を合波する機能を有する広波長間隔の光合波器を備えることを特徴とする光合分波装置。
【請求項１６】
請求項４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は１．３μｍ帯と１．５５μｍ帯のように異なる波長帯が割り当てられており、前記各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を送信するレーザと、前記各ユーザの上り信号に割り当てられた狭間隔の複数の波長の信号を合波する狭波長間隔の光合波器を備えることを特徴とするユーザ光送受信装置。
【請求項１７】
前記センタ局から前記各ユーザへの分岐点への下り信号と分岐点から前記センタ局への上り信号に加えて分岐点から前記各ユーザへの下り信号と前記各ユーザから分岐点への上り信号を同じ１本の光ファイバで伝送し、上り、下り信号に対して前記各ユーザに割り当てられる波長が異なり、かつ前記各ユーザの上り信号と下り信号の波長は隣り合う波長群であることを特徴とする請求項１に記載の波長分割多重システム。
【請求項１８】
請求項２に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長であり、かつ、前記各ユーザの下り信号と上り信号は隣り合う波長群の信号を構成する複数の波長が割り当てられており、前記各ユーザへの下り信号に割り当てられた波長の間隔が狭間隔である複数の波長の信号を送信するレーザと、前記各ユーザへの下り信号に割り当てられた狭間隔の複数の波長の信号を合波し、前記各ユーザからの上り信号の各波長群の信号を構成する狭波長間隔の複数の波長の信号を分離する狭波長間隔の光合分波器と、前記各ユーザへの下り信号に割り当てられた波長群の信号を合波し、前記各ユーザから送られてきた上り信号を前記各ユーザからの上り信号に割り当てられた波長群ごとに分波する広波長間隔の光合分波器を備えることを特徴とするセンタ局光送受信装置。
【請求項１９】
請求項３に記載の光合分波装置において、前記各ユーザへの下り信号に割り当てられた波長の間隔が狭間隔である複数の波長と、前記各ユーザからの上り信号に割り当てられた波長の間隔が狭間隔である複数の波長は異なる波長でありかつ、前記各ユーザの下り信号と上り信号は隣り合う波長群の信号を構成する複数の波長が割り当てられており、前記センタ局から前記各ユーザへの下り信号に割り当てられた波長群の信号を分波する機能と、前記各ユーザから前記センタ局への上り信号に割り当てられた波長群の信号を合波する機能を有する広波長間隔の光合分波器を備えることを特徴とする光合分波装置。
【請求項２０】
請求項４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長でありかつ、前記各ユーザの下り信号と上り信号は隣り合う波長群の信号を構成する複数の波長が割り当てられており、前記各ユーザの上り信号に割り当てられた波長の間隔が狭間隔である複数の波長の信号を送信するレーザと、前記各ユーザの下り信号に割り当てられた波長の間隔が狭間隔である複数の波長の信号を分離し、前記各ユーザの上り信号に割り当てられた狭間隔の複数の波長の信号を合波する狭波長間隔の光合分波器を備えることを特徴とするユーザ光送受信装置。
【請求項２１】
前記各ユーザに割り当てられる波長で伝送するサービスは各波長でプロトコルが異なるなど様々なサービスであることを特徴とする請求項１、５、９、１３、１７のいずれか１つに記載の波長分割多重システム。
【請求項２２】
センタ局と通信を行う複数のユーザの各々に異なる波長を割り当て、光信号を光ファイバで伝送する波長分割多重システムにおいて、前記各ユーザに対して波長の間隔が狭間隔である複数の波長からなる波長群が割り当てられ、これら１つの波長群の信号を構成する狭波長間隔の複数の波長は１つの波長可変レーザを時間的に波長を切り替えることにより発生させ、前記各ユーザに割り当てられた波長群の信号を合波、分波する広波長間隔の光合波器、光分波器を備え、これにより前記各ユーザに割り当てられた光信号の多重化を行うことを特徴とする波長分割多重システム。
【請求項２３】
請求項２２に記載の波長分割多重システムに使用する前記センタ局に設置される光送受信装置において、前記各ユーザへの下り信号に割り当てられた波長の間隔が狭間隔である複数の波長の信号を時間的に切り替えて送信する波長可変レーザと、前記各ユーザへの下り信号に割り当てられた波長群の信号を合波して送信する広波長間隔の光合波器と、前記各ユーザから送られてきた上り信号を前記各ユーザからの上り信号に割り当てられた波長群ごとに分波する広波長間隔の光分波器と、前記各ユーザからの上り信号の各波長群の信号を構成する狭波長間隔の複数の波長の信号を分離する狭波長間隔の光分波器を備えることを特徴とするセンタ局光送受信装置。
【請求項２４】
請求項２２に記載の波長分割多重システムに使用する前記各ユーザに設置される光送受信装置において、前記各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を時間的に切り替えて送信する波長可変レーザとを備えることを特徴とするユーザ光送受信装置。
【請求項２５】
前記センタ局から前記各ユーザへの分岐点への下り信号と分岐点から前記センタ局への上り信号をそれぞれ異なる１本の光ファイバで伝送し、上り、下り信号共に前記各ユーザに割り当てられる波長が同じであることを特徴とする請求項２２に記載の波長分割多重システム。
【請求項２６】
請求項２３に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は同じ波長であり、前記各ユーザへの下り信号に割り当てられた波長の間隔が狭間隔である複数の波長の信号を時間的に切り替えて送信する波長可変レーザと、前記各ユーザへの下り信号に割り当てられた波長群の信号を合波して送信する広波長間隔の光合波器と、前記各ユーザから送られてきた上り信号を前記各ユーザからの上り信号に割り当てられた波長群ごとに分波する広波長間隔の光分波器と、前記各ユーザからの上り信号の各波長群の信号を構成する狭波長間隔の複数の波長の信号を分離する狭波長間隔の光分波器を備えることを特徴とするセンタ局光送受信装置。
【請求項２７】
請求項２４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は同じ波長であり、前記各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を時間的に切り替えて送信する波長可変レーザとを備えることを特徴とするユーザ光送受信装置。
【請求項２８】
前記センタ局から前記各ユーザへの分岐点への下り信号と分岐点から前記センタ局への上り信号を同じ１本の光ファイバで伝送し、上り、下り信号に対して前記各ユーザに割り当てられる波長が異なることを特徴とする請求項２２に記載の波長分割多重システム。
【請求項２９】
請求項２３に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長であり、前記各ユーザへの下り信号に割り当てられた波長の間隔が狭間隔である複数の波長の信号を時間的に切り替えて送信する波長可変レーザと、前記各ユーザへの下り信号に割り当てられた波長群の信号を合波し、前記各ユーザから送られてきた上り信号を前記各ユーザからの上り信号に割り当てられた波長群ごとに分波する広波長間隔の光合分波器と、前記各ユーザからの上り信号の各波長群の信号を構成する狭波長間隔の複数の波長の信号を分離する狭波長間隔の光分波器を備えることを特徴とするセンタ局光送受信装置。
【請求項３０】
請求項２４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長であり、前記各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を時間的に切り替えて送信する波長可変レーザとを備えることを特徴とするユーザ光送受信装置。
【請求項３１】
前記センタ局から前記各ユーザへの分岐点への下り信号と分岐点から前記センタ局への上り信号を同じ１本の光ファイバで伝送し、上り、下り信号に対して前記各ユーザに割り当てられる波長が１．３μｍ帯と１．５５μｍ帯のように異なる波長帯を割り当てることを特徴とする請求項２２に記載の波長分割多重システム。
【請求項３２】
請求項２３に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は１．３μｍ帯と１．５５μｍ帯のように異なる波長帯が割り当てられており、前記各ユーザへの下り信号に割り当てられた波長の間隔が狭間隔である複数の波長の信号を時間的に切り替えて送信する波長可変レーザと、前記各ユーザへの下り信号に割り当てられた波長群の信号を合波して送信する広波長間隔の光合波器と、前記各ユーザから送られてきた上り信号を前記各ユーザからの上り信号に割り当てられた波長群ごとに分波する広波長間隔の光分波器と、前記各ユーザからの上り信号の各波長群の信号を構成する狭波長間隔の複数の波長の信号を分離する狭波長間隔の光分波器と、波長帯の異なる下り信号、上り信号の分離を行う１．３／１．５５μｍ波長合分波器を備えることを特徴とするセンタ局光送受信装置。
【請求項３３】
請求項２４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は１．３μｍ帯と１．５５μｍ帯のように異なる波長帯が割り当てられており、前記各ユーザの下り信号に割り当てられた波長の間隔が狭間隔である複数の波長の信号を分離する狭波長間隔の光分波器と、前記各ユーザの上り信号に割り当てられた波長の間隔が狭間隔である複数の波長の信号を時間的に切り替えて送信する波長可変レーザとを備えることを特徴とするユーザ光送受信装置。
【請求項３４】
前記センタ局から前記各ユーザへの分岐点への下り信号と分岐点から前記センタ局への上り信号に加えて分岐点から前記各ユーザへの下り信号と前記各ユーザから分岐点への上り信号を同じ１本の光ファイバで伝送し、上り、下り信号に対して前記各ユーザに割り当てられる波長が異なり、かつ前記各ユーザの上り信号と下り信号の波長は隣り合う波長群であることを特徴とする請求項２２に記載の波長分割多重システム。
【請求項３５】
請求項２３に記載のセンタ局光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長でありかつ、前記各ユーザの下り信号と上り信号は隣り合う波長群の信号を構成する複数の波長が割り当てられており、前記各ユーザへの下り信号に割り当てられた波長の間隔が狭間隔である複数の波長の信号を時間的に切り替えて送信する波長可変レーザと、前記各ユーザからの上り信号の各波長群の信号を構成する狭波長間隔の複数の波長の信号を分離する狭波長間隔の光分波器と、前記各ユーザへの下り信号に割り当てられた波長群の信号を合波し、前記各ユーザから送られてきた上り信号を前記各ユーザからの上り信号に割り当てられた波長群ごとに分波する広波長間隔の光合分波器と、下り信号、上り信号の分離を行う光サーキュレータを備えることを特徴とするセンタ局光送受信装置。
【請求項３６】
請求項２４に記載のユーザ光送受信装置において、前記各ユーザへの下り信号に割り当てられた波長の間隔が狭間隔である複数の波長と、前記各ユーザからの上り信号に割り当てられた波長の間隔が狭間隔である複数の波長は異なる波長でありかつ、前記各ユーザの下り信号と上り信号は隣り合う波長群の信号を構成する複数の波長が割り当てられており、前記各ユーザの上り信号に割り当てられた波長の間隔が狭間隔である複数の波長の信号を時間的に切り替えて送信する波長可変レーザと、前記各ユーザの下り信号に割り当てられた波長の間隔が狭間隔である複数の波長の信号を分離する狭波長間隔の光分波器と、下り信号、上り信号の分離を行う光サーキュレータを備えることを特徴とするユーザ光送受信装置。
【請求項３７】
前記各ユーザに割り当てられる波長で伝送するサービスは各波長でプロトコルが異なるというサービスを含むことを特徴とする請求項２２、２５、３１、３４のいずれか１つに記載の波長分割多重システム。
【発明の詳細な説明】
【０００１】
【発明の属する技術分野】
本発明は、異なる複数の波長の信号を送信する複数のレーザと、前記レーザから送信された光を合波する光合波器を備え、合波された光信号を光ファイバで伝送する波長分割多重システム、及びそれに使用するセンタ局光送受信装置、ユーザ光送受信装置、光合分波装置に関する。
【０００２】
【従来の技術】
従来の波長分割多重化システムとしては、特開平１１−２７２０６１号公報や特開平１０−１７３６３３号公報に記載のものが挙げられる。図１４は、従来の波長分割多重システムの構成（以下従来の構成１という）を示すブロック図である。センタ（センターと記載することもある）局光送受信装置５１は、レーザ１１〜１ｎ、合波器４１、分波器４２、受信器２１〜２ｎを有している。遠隔ノードである光合分波装置４５は、分波器４３と合波器４４とを有している。ユーザ光送受信装置９１は、レーザ７１、受信器８１を有している。光ファイバ５２〜５９が図示のように設置されている。各ユーザに送られる波長の間隔は、少なくとも２０ｎｍ以上であり、これらの異なる波長の複数の光信号は、合波器で合波され、光ファイバを用いて伝送され、分波器で分離され、各ユーザへ伝送される。
【０００３】
一方、図１５は、従来の他の波長分割多重システムの構成（以下従来の構成２という）を示すブロックである。センタ局光送信装置６１は、レーザ１１〜１ｎと合波器４１とを有している。これらの他に、光ファイバ５２と、分波器４２と、光ファイバ５３〜５５と、受信器２１〜２ｎが設けられている。各ユーザに送られる異なる波長の複数の光信号は、合波器で合波され、光ファイバを用いて伝送され、分波器で分離され、各ユーザへ伝送される。
【０００４】
【発明が解決しようとする課題】
しかしながら、従来の構成１の波長分割多重システムでは、波長間隔が広いためシステム全体の波長数に制限があり、例えば、サービスを拡張時に特定のユーザに新たに波長を割り当てることは困難である。一方、従来の構成２の波長分割多重化システムでは、波長間隔を狭くすることにより、システム全体として多くの波長を利用でき、ユーザ数は増大できるが、各ユーザに割り当てられる波長は１波長であるため、１ユーザ当たりの波長増設によるサービス拡張が困難であり、光ファイバの新たな敷設や光送受信装置の交換などが必要であるという問題が含まれていた。
【０００５】
本発明は上記の問題点を解決するものであり、各ユーザに対して波長の間隔が狭間隔である複数の波長からなる波長群が割り当てられ、各ユーザに割り当てられ波長群の信号を合波、分波する広波長間隔の光合波器、光分波器により各ユーザに割り当てられた光信号の多重化を行い、１ユーザが複数の波長を使用できることにより、帯域の広帯域化やサービス拡張時においても各ユーザに割り当てられる複数の波長内の空き波長の１つを用いることにより、光ファイバの新たな敷設や光送受信装置の交換などを必要とせず、簡単に拡張可能にすることを目的する。
【０００６】
【課題を解決するための手段】
本発明の波長分割多重システムは、請求項１に記載のように、各ユーザに異なる波長を割り当て、これら異なる複数の波長の信号を送信する複数のレーザと、前記レーザから送信された光を合波する光合波器を備え、合波された光信号を光ファイバで伝送する波長分割多重システムにおいて、前記複数のレーザから送信される光の波長は、各ユーザに対して波長の間隔が狭間隔である複数の波長からなる波長群が割り当てられ、各ユーザに割り当てられた波長群の信号を合波、分波する広波長間隔の光合波器、光分波器を備え、これにより各ユーザに割り当てられた光信号の多重化を行うことを特徴とする。上記構成によれば、各ユーザへ複数の波長を割り当てることができる。
【０００７】
また、請求項５に記載のように、請求項１においてセンタ局から各ユーザへの分岐点への下り信号と分岐点からセンタ局への上り信号をそれぞれ異なる１本の光ファイバで伝送し、上り、下り信号共に各ユーザに割り当てられる波長が同じであることを特徴とする。上記構成によれば、各ユーザへ複数の波長を割り当てることができるとともに、双方向伝送ができる。
【０００８】
また、請求項９に記載のように、請求項１においてセンタ局から各ユーザへの分岐点への下り信号と分岐点からセンタ局への上り信号を同じ１本の光ファイバで伝送し、上り、下り信号共に各ユーザに割り当てられる波長が異なることを特徴とする上記構成によれば、各ユーザへ複数の波長を割り当てることができるとともに、１芯の光ファイバで双方向伝送ができる。
【０００９】
また、請求項１３に記載のように、請求項１においてセンタ局から各ユーザへの分岐点への下り信号と分岐点からセンタ局への上り信号を同じ１本の光ファイバで伝送し、上り、下り信号に対して各ユーザに割り当てられる波長が１．３μｍ帯と１．５５μｍ帯のように異なる波長帯を割り当てることを特徴とする。上記構成によれば、各ユーザへ複数の波長を割り当てることができるとともに、１芯の光ファイバで双方向伝送ができる。
【００１０】
また、請求項１７に記載のように、請求項１においてセンタ局から各ユーザへの分岐点への下り信号と分岐点からセンタ局への上り信号に加えて分岐点から各ユーザへの下り信号と各ユーザから分岐点への上り信号を同じ１本の光ファイバで伝送し、上り、下り信号に対して各ユーザに割り当てられる波長が異なり、かつ各ユーザの上り信号と下り信号の波長は隣り合う波長群であることを特徴とする。上記構成によれば、各ユーザへ複数の波長を割り当てることができるとともに、センタ局から各ユーザへの分岐点に加えて分岐点から各ユーザへ１芯の光ファイバで双方向伝送ができる。
【００１１】
また、請求項２１に記載のように、請求項１、５、９、１３、１７のいずれかにおいて前記各ユーザに割り当てられる波長で伝送するサービスは各波長でプロトコルが異なるなど様々なサービスであることを特徴とする。上記構成によれば、様々なサービスを多重して伝送することができる。
【００１２】
また、請求項２２に記載のように、各ユーザに異なる波長を割り当て光信号を光ファイバで伝送する波長分割多重システムにおいて、各ユーザに対して波長の間隔が狭間隔である複数の波長からなる波長群が割り当てられ、これら１つの波長群の信号を構成する狭波長間隔の複数の波長は１つの波長可変レーザを時間的に波長を切り替えることにより発生させ、各ユーザに割り当てられ波長群の信号を合波、分波する広波長間隔の光合波器、光分波器を備え、これにより各ユーザに割り当てられた光信号の多重化を行うことを特徴とする。上記構成によれば、各ユーザへ複数の波長を割り当てることができる。
【００１３】
また、請求項２５に記載のように、請求項２２においてセンタ局から各ユーザへの分岐点への下り信号と分岐点からセンタ局への上り信号をそれぞれ異なる１本の光ファイバで伝送し、上り、下り信号共に各ユーザに割り当てられる波長が同じであることを特徴とする。上記構成によれば、各ユーザへ複数の波長を割り当てることができるとともに、双方向伝送ができる。
【００１４】
また、請求項２８に記載のように、請求項２２においてセンタ局から各ユーザへの分岐点への下り信号と分岐点からセンタ局への上り信号を同じ１本の光ファイバで伝送し、上り、下り信号に対して各ユーザに割り当てられる波長が異なることを特徴とする。上記構成によれば、各ユーザへ複数の波長を割り当てることができるとともに、１芯の光ファイバで双方向伝送ができる。
【００１５】
また、請求項３１に記載のように、請求項２２においてセンタ局から各ユーザへの分岐点への下り信号と分岐点からセンタ局への上り信号を同じ１本の光ファイバで伝送し、上り、下り信号に対して各ユーザに割り当てられる波長が１．３μｍ帯と１．５５μｍ帯のように異なる波長帯を割り当てることを特徴とする。上記構成によれば、各ユーザへ複数の波長を割り当てることができるとともに、１芯の光ファイバで双方向伝送ができる。
【００１６】
また、請求項３４に記載のように、請求項２２においてセンタ局から各ユーザへの分岐点への下り信号と分岐点からセンタ局への上り信号に加えて分岐点から各ユーザへの下り信号と各ユーザから分岐点への上り信号を同じ１本の光ファイバで伝送し、上り、下り信号に対して各ユーザに割り当てられる波長が異なり、かつ各ユーザの上り信号と下り信号の波長は隣り合う波長群であることを特徴とする。上記構成によれば、各ユーザへ複数の波長を割り当てることができるとともに、センタ局から各ユーザへの分岐点に加えて分岐点から各ユーザへ１芯の光ファイバで双方向伝送ができる。
【００１７】
また、請求項３７に記載のように、請求項２２、２５、２８、３１、３４のいずれかにおいて前記各ユーザに割り当てられる波長で伝送するサービスは各波長でプロトコルが異なるなど様々なサービスであることを特徴とする。上記構成によれば、様々なサービスを多重して伝送することができる。
【００１８】
本発明のセンタ局光送受信装置は、請求項２に記載のように、各ユーザへの下り信号に割り当てられた波長の間隔が狭間隔である複数の波長の信号を送信するレーザと、各ユーザへの下り信号に割り当てられた狭間隔の複数の波長の信号を合波する狭波長間隔の光合波器と、各ユーザへの下り信号に割り当てられた波長群の信号を合波して送信する広波長間隔の光合波器と、各ユーザから送られてきた上り信号を各ユーザからの上り信号に割り当てられた波長群ごとに分波する広波長間隔の光分波器と、各ユーザからの上り信号の各波長群の信号を構成する狭波長間隔の複数の波長の信号を分離する狭波長間隔の光分波器を備えることを特徴とする。上記構成によれば、各ユーザへ波長が異なる複数の信号を送信し、各ユーザからの送られてくる波長が異なる複数の信号を受信することができる。
【００１９】
また、請求項６に記載のように、請求項２において各ユーザへの下り信号に割り当てられた波長の間隔が狭間隔である複数の波長と、各ユーザからの上り信号に割り当てられた波長の間隔が狭間隔である複数の波長は同じ波長であり、各ユーザへの下り信号に割り当てられた波長の間隔が狭間隔である複数の波長の信号を送信するレーザと、前記各ユーザへの下り信号に割り当てられた狭間隔の複数の波長の信号を合波する狭波長間隔の光合波器と、各ユーザへの下り信号に割り当てられた波長群の信号を合波して送信する広波長間隔の光合波器と、各ユーザから送られてきた上り信号を各ユーザからの上り信号に割り当てられた波長群ごとに分波する広波長間隔の光分波器と、各ユーザからの上り信号の各波長群の信号を構成する狭波長間隔の複数の波長の信号を分離する狭波長間隔の光分波器を備えることを特徴とする。上記構成によれば、各ユーザへ波長が異なる複数の波長の信号を送信し、各ユーザからの送られてくる波長が異なる複数の信号を受信することができるとともに、双方向伝送ができる。
【００２０】
また、請求項１０に記載のように、請求項２において各ユーザへの下り信号に割り当てられた波長の間隔が狭間隔である複数の波長と、各ユーザからの上り信号に割り当てられた波長の間隔が狭間隔である複数の波長は異なる波長であり、各ユーザへの下り信号に割り当てられた波長の間隔が狭間隔である複数の波長の信号を送信するレーザと、前記各ユーザへの下り信号に割り当てられた狭間隔の複数の波長の信号を合波する狭波長間隔の光合波器と、各ユーザへの下り信号に割り当てられた波長群の信号を合波し、かつ各ユーザから送られてきた上り信号を各ユーザからの上り信号に割り当てられた波長群ごとに分波する広波長間隔の光合分波器と、各ユーザからの下り信号の各波長群の信号を構成する狭波長間隔の複数の波長の信号を分離する狭波長間隔の光分波器を備えることを特徴とする。
上記構成によれば、各ユーザへ波長が異なる複数の信号を送信し、各ユーザから送られてくる波長が異なる複数の信号を受信することができるとともに、１芯の光ファイバで双方向伝送ができる。
【００２１】
また、請求項１４に記載のように、請求項２において各ユーザへの下り信号に割り当てられた波長の間隔が狭間隔である複数の波長と、各ユーザからの上り信号に割り当てられた波長の間隔が狭間隔である複数の波長は１．３μｍ帯と１．５５μｍ帯のように異なる波長帯が割り当てられており、各ユーザへの下り信号に割り当てられた波長の間隔が狭間隔である複数の波長の信号を送信するレーザと、前記各ユーザへの下り信号に割り当てられた狭間隔の複数の波長の信号を合波する狭波長間隔の光合波器と、各ユーザへの下り信号に割り当てられた波長群の信号を合波して送信する広波長間隔の光合波器と、各ユーザから送られてきた上り信号を各ユーザからの上り信号に割り当てられた波長群ごとに分波する広波長間隔の光分波器と、各ユーザからの上り信号の各波長群の信号を構成する狭波長間隔の複数の波長の信号を分離する狭波長間隔の光分波器と、波長帯の異なる下り信号、上り信号の分離を行う１．３／１．５５μｍ波長合分波器を備えることを特徴とする。上記構成によれば、各ユーザへ波長が異なる複数の信号を送信し、各ユーザからの送られてくる波長が異なる複数の信号を受信することができるとともに、１芯の光ファイバで双方向伝送ができる。
【００２２】
また、請求項１８に記載のように、請求項２において各ユーザへの下り信号に割り当てられた波長の間隔が狭間隔である複数の波長と、各ユーザからの上り信号に割り当てられた波長の間隔が狭間隔である複数の波長は異なる波長でありかつ、各ユーザの下り信号と上り信号は隣り合う波長群の信号を構成する複数の波長が割り当てられており、各ユーザへの下り信号に割り当てられた波長の間隔が狭間隔である複数の波長の信号を送信するレーザと、前記各ユーザへの下り信号に割り当てられた狭間隔の複数の波長の信号を合波し、各ユーザからの上り信号の各波長群の信号を構成する狭波長間隔の複数の波長の信号を分離する狭波長間隔の光合分波器と、各ユーザへの下り信号に割り当てられた波長群の信号を合波し、各ユーザから送られてきた上り信号を各ユーザからの上り信号に割り当てられた波長群ごとに分波する広波長間隔の光合分波器を備えることを特徴とする。上記構成によれば、各ユーザへ波長が異なる複数の信号を送信し、各ユーザからの送られてくる波長が異なる複数の信号を受信することができるとともに、１芯の光ファイバで双方向伝送ができる。
【００２３】
また、請求項２３に記載のように、各ユーザへの下り信号に割り当てられた波長の間隔が狭間隔である複数の波長の信号を時間的に切り替えて送信する波長可変レーザと、各ユーザへの下り信号に割り当てられた波長群の信号を合波して送信する広波長間隔の光合波器と、各ユーザから送られてきた上り信号を各ユーザからの上り信号に割り当てられた波長群ごとに分波する広波長間隔の光分波器と、各ユーザからの上り信号の各波長群の信号を構成する狭波長間隔の複数の波長の信号を分離する狭波長間隔の光分波器を備えることを特徴とする。上記構成によれば、各ユーザへ波長が異なる複数の信号を送信し、各ユーザからの送られてくる波長が異なる複数の信号を受信することができる。
【００２４】
また、請求項２６に記載のように、請求項２３において各ユーザへの下り信号に割り当てられた波長の間隔が狭間隔である複数の波長と、各ユーザからの上り信号に割り当てられた波長の間隔が狭間隔である複数の波長は同じ波長であり、各ユーザへの下り信号に割り当てられた波長の間隔が狭間隔である複数の波長の信号を時間的に切り替えて送信する波長可変レーザと、各ユーザへの下り信号に割り当てられた波長群の信号を合波して送信する広波長間隔の光合波器と、各ユーザから送られてきた上り信号を各ユーザからの上り信号に割り当てられた波長群ごとに分波する広波長間隔の光分波器と、各ユーザからの上り信号の各波長群の信号を構成する狭波長間隔の複数の波長の信号を分離する狭波長間隔の光分波器を備えることを特徴とする。上記構成によれば、各ユーザへ波長が異なる複数の信号を送信し、各ユーザから送られてくる波長が異なる複数の信号を受信することができるとともに、双方向伝送ができる。
【００２５】
また、請求項２９に記載のように、請求項２３において各ユーザへの下り信号に割り当てられた波長の間隔が狭間隔である複数の波長と、各ユーザからの上り信号に割り当てられた波長の間隔が狭間隔である複数の波長は異なる波長であり、各ユーザへの下り信号に割り当てられた波長の間隔が狭間隔である複数の波長の信号を時間的に切り替えて送信する波長可変レーザと、各ユーザへの下り信号に割り当てられた波長群の信号を合波し、各ユーザから送られてきた上り信号を各ユーザからの上り信号に割り当てられた波長群ごとに分波する広波長間隔の光合分波器と、各ユーザからの上り信号の各波長群の信号を構成する狭波長間隔の複数の波長の信号を分離する狭波長間隔の光分波器を備えることを特徴とする。上記構成によれば、各ユーザへの波長が異なる複数の信号を送信し、各ユーザから送られてくる波長が異なる複数の信号を受信することができるとともに、１芯双方向伝送ができる。
【００２６】
また、請求項３２に記載のように、請求項２３において各ユーザへの下り信号に割り当てられた波長の間隔が狭間隔である複数の波長と、各ユーザからの上り信号に割り当てられた波長の間隔が狭間隔である複数の波長は１．３μｍ帯と１．５５μｍ帯のように異なる波長帯が割り当てられており、各ユーザへの下り信号に割り当てられた波長の間隔が狭間隔である複数の波長の信号を時間的に切り替えて送信する波長可変レーザと、各ユーザへの下り信号に割り当てられた波長群の信号を合波して送信する広波長間隔の光合波器と、各ユーザから送られてきた上り信号を各ユーザからの上り信号に割り当てられた波長群ごとに分波する広波長間隔の光分波器と、各ユーザからの上り信号の各波長群の信号を構成する狭波長間隔の複数の波長の信号を分離する狭波長間隔の光分波器と、波長帯の異なる下り信号、上り信号の分離を行う１．３／１．５５μｍ波長合分波器を備えることを特徴とする。上記構成によれば、各ユーザへの波長が異なる複数の信号を送信し、各ユーザから送られてくる波長が異なる複数の信号を受信することができるとともに、１芯双方向伝送ができる。
【００２７】
また、請求項３５に記載のように、請求項２３において各ユーザへの下り信号に割り当てられた波長の間隔が狭間隔である複数の波長と、各ユーザからの上り信号に割り当てられた波長の間隔が狭間隔である複数の波長は異なる波長でありかつ、各ユーザの下り信号と上り信号は隣り合う波長群の信号を構成する複数の波長が割り当てられており、各ユーザへの下り信号に割り当てられた波長の間隔が狭間隔である複数の波長の信号を時間的に切り替えて送信する波長可変レーザと、各ユーザからの上り信号の各波長群の信号を構成する狭波長間隔の複数の波長の信号を分離する狭波長間隔の光分波器と、各ユーザへの下り信号に割り当てられた波長群の信号を合波し、各ユーザから送られてきた上り信号を各ユーザからの上り信号に割り当てられた波長群ごとに分波する広波長間隔の光合分波器と、下り信号、上り信号の分離を行う光サーキュレータを備えることを特徴とする。上記構成によれば、各ユーザへの波長が異なる複数の信号を送信し、各ユーザからの送られてくる波長が異なる複数の信号を受信することができるとともに、１芯双方向伝送ができる。
【００２８】
本発明の光合分波装置は、請求項３に記載のように各ユーザのセンタ局から各ユーザへの下り信号に割り当てられた波長群の信号を分波する機能と、各ユーザの各ユーザからセンタ局への上り信号に割り当てられた波長群の信号を合波する機能を備えることを特徴とする。上記構成によれば、各ユーザへの異なる複数の波長からなる下り信号の波長群の信号を分離し、各ユーザから送られてくる複数の波長からなる上り信号の波長群の信号を合波することができる。
【００２９】
また、請求項７に記載のように、請求項３において各ユーザへの下り信号に割り当てられた波長の間隔が狭間隔である複数の波長と、各ユーザからの上り信号に割り当てられた波長の間隔が狭間隔である複数の波長は同じ波長であり、各ユーザのセンタ局から各ユーザへの下り信号に割り当てられた波長群の信号を分波する機能を有する広波長間隔の光分波器と、各ユーザの各ユーザからセンタ局への上り信号に割り当てられた波長群の信号を合波する機能を有する広波長間隔の光合波器を備えることを特徴とする。上記構成によれば、各ユーザへの異なる複数の波長からなる下り信号の波長群の信号を分離し、各ユーザから送られてくる複数の波長からなる上り信号の波長群の信号を合波することができる。
【００３０】
また、請求項１１に記載のように、請求項３において、各ユーザへの下り信号に割り当てられた波長の間隔が狭間隔である複数の波長と、各ユーザからの上り信号に割り当てられた波長の間隔が狭間隔である複数の波長は異なる波長であり、各ユーザのセンタ局から各ユーザへの下り信号に割り当てられた波長群の信号を分波する機能と、各ユーザの各ユーザからセンタ局への上り信号に割り当てられた波長群の信号を合波する機能を有する広波長間隔の光合分波器を備えることを特徴とする。上記構成によれば、各ユーザへの異なる複数の波長からなる下り信号の波長群の信号を分離し、各ユーザから送られてくる複数の波長からなる上り信号の波長群の信号を合波することができる。
【００３１】
また、請求項１５に記載のように、請求項３において、各ユーザへの下り信号に割り当てられた波長の間隔が狭間隔である複数の波長と、各ユーザからの上り信号に割り当てられた波長の間隔が狭間隔である複数の波長は１．３μｍ帯と１．５５μｍ帯のように異なる波長帯が割り当てられており、波長帯の異なる下り信号、上り信号の分離を行う１．３／１．５５μｍ波長合分波器と、各ユーザのセンタ局から各ユーザへの下り信号に割り当てられた波長群の信号を分波する機能を有する広波長間隔の光分波器と、各ユーザの各ユーザからセンタ局への上り信号に割り当てられた波長群の信号を合波する機能を有する広波長間隔の光合波器を備えることを特徴とする。上記構成によれば、各ユーザへの異なる複数の波長からなる下り信号の波長群の信号を分離し、各ユーザから送られてくる複数の波長からなる上り信号の波長群の信号を合波することができる。
【００３２】
また、請求項１９に記載のように、請求項３において、各ユーザへの下り信号に割り当てられた波長の間隔が狭間隔である複数の波長と、各ユーザからの上り信号に割り当てられた波長の間隔が狭間隔である複数の波長は異なる波長でありかつ、各ユーザの下り信号と上り信号は隣り合う波長群の信号を構成する複数の波長が割り当てられており、各ユーザのセンタ局から各ユーザへの下り信号に割り当てられた波長群の信号を分波する機能と、各ユーザの各ユーザからセンタ局への上り信号に割り当てられた波長群の信号を合波する機能を有する広波長間隔の光合分波器を備えることを特徴とする。上記構成によれば、各ユーザへの異なる複数の波長からなる下り信号の波長群の信号を分離し、各ユーザから送られてくる複数の波長からなる上り信号の波長群の信号を合波することができる。
【００３３】
本発明のユーザ光送受信装置は、請求項４に記載のように、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を送信するレーザと、各ユーザの下り信号に割り当てられた狭間隔の複数の波長の信号を合波する狭波長間隔の光合波器を備えることを特徴とする。上記構成によれば、センタ局から各ユーザへ送られてくる波長が異なる複数の信号を受信し、センタ局へ波長が異なる複数の信号を送信することができる。
【００３４】
また、請求項８に記載のように、請求項４において、各ユーザへの下り信号に割り当てられた波長の間隔が狭間隔である複数の波長と、各ユーザからの上り信号に割り当てられた波長の間隔が狭間隔である複数の波長は同じ波長であり、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を送信するレーザと、各ユーザの上り信号に割り当てられた狭間隔の複数の波長の信号を合波する狭波長間隔の光合波器を備えることを特徴とする。上記構成によれば、センタ局から各ユーザへ送られてくる波長が異なる複数の信号を受信し、センタ局へ波長が異なる複数の信号を送信することができるとともに、双方向伝送ができる。
【００３５】
また、請求項１２に記載のように、請求項４において、各ユーザへの下り信号に割り当てられた波長の間隔が狭間隔である複数の波長と、各ユーザからの上り信号に割り当てられた波長の間隔が狭間隔である複数の波長は異なる波長であり、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を送信するレーザと、各ユーザの上り信号に割り当てられた狭間隔の複数の波長の信号を合波する狭波長間隔の光合波器を備えることを特徴とする。上記構成によれば、センタ局から各ユーザへ送られてくる波長が異なる複数の信号を受信し、センタ局へ波長が異なる複数の信号を送信することができるとともに、１芯の光ファイバで双方向伝送ができる。
【００３６】
また、請求項１６に記載のように、請求項４において、各ユーザへの下り信号に割り当てられた波長の間隔が狭間隔である複数の波長と、各ユーザからの上り信号に割り当てられた波長の間隔が狭間隔である複数の波長は１．３μｍ帯と１．５５μｍ帯のように異なる波長帯が割り当てられており、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を送信するレーザと、各ユーザの上り信号に割り当てられた狭間隔の複数の波長の信号を合波する狭波長間隔の光合波器を備えることを特徴とする。上記構成によれば、センタ局から各ユーザへ送られてくる波長が異なる複数の信号を受信し、センタ局へ波長が異なる複数の信号を送信することができるとともに、１芯の光ファイバで双方向伝送ができる。
【００３７】
また、請求項２０に記載のように、請求項４において、各ユーザへの下り信号に割り当てられた波長の間隔が狭間隔である複数の波長と、各ユーザからの上り信号に割り当てられた波長の間隔が狭間隔である複数の波長は異なる波長でありかつ、各ユーザの下り信号と上り信号は隣り合う波長群の信号を構成する複数の波長が割り当てられており、各ユーザの上り信号に割り当てられた波長の間隔が狭間隔である複数の波長の信号を送信するレーザと、各ユーザの下り信号に割り当てられた波長の間隔が狭間隔である複数の波長の信号を分離し、各ユーザの上り信号に割り当てられた狭間隔の複数の波長の信号を合波する狭波長間隔の光合分波器を備えることを特徴とする。上記構成によれば、センタ局から各ユーザへ送られてくる波長が異なる複数の信号を受信し、センタ局へ波長が異なる複数の信号を送信することができるとともに、１芯の光ファイバで双方向伝送ができる。
【００３８】
また、請求項２４に記載のように、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を時間的に切り替えて送信する波長可変レーザとを備えることを特徴とする。上記構成によれば、センタ局から各ユーザへ送られてくる波長が異なる複数の信号を受信し、センタ局へ波長が異なる複数の信号を送信することができる。
【００３９】
また、請求項２７に記載のように、請求項２４において、各ユーザへの下り信号に割り当てられた波長の間隔が狭間隔である複数の波長と、各ユーザからの上り信号に割り当てられた波長の間隔が狭間隔である複数の波長は同じ波長であり、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を時間的に切り替えて送信する波長可変レーザとを備えることを特徴とする。上記構成によれば、センタ局から各ユーザへ送られてくる波長が異なる複数の信号を受信し、センタ局へ波長が異なる複数の信号を送信することができるとともに、双方向伝送ができる。
【００４０】
また、請求項３０に記載のように、請求項２４において、各ユーザへの下り信号に割り当てられた波長の間隔が狭間隔である複数の波長と、各ユーザからの上り信号に割り当てられた波長の間隔が狭間隔である複数の波長は異なる波長であり、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を時間的に切り替えて送信する波長可変レーザとを備えることを特徴とする。上記構成によれば、センタ局から各ユーザへ送られてくる波長が異なる複数の信号を受信し、センタ局へ波長が異なる複数の信号を送信することができるとともに、１芯の光ファイバで双方向伝送ができる。
【００４１】
また、請求項３３に記載のように、請求項２４において、各ユーザへの下り信号に割り当てられた波長の間隔が狭間隔である複数の波長と、各ユーザからの上り信号に割り当てられた波長の間隔が狭間隔である複数の波長は１．３μｍ帯と１．５５μｍ帯のように異なる波長帯が割り当てられており、各ユーザの下り信号に割り当てられた波長の間隔が狭間隔である複数の波長の信号を分離する狭波長間隔の光分波器と、各ユーザの上り信号に割り当てられた波長の間隔が狭間隔である複数の波長の信号を時間的に切り替えて送信する波長可変レーザとを備えることを特徴とする。上記構成によれば、センタ局から各ユーザへ送られてくる波長が異なる複数の信号を受信し、センタ局へ波長が異なる複数の信号を送信することができるとともに、１芯の光ファイバで双方向伝送ができる。
【００４２】
また、請求項３６に記載のように、請求項２４において、各ユーザへの下り信号に割り当てられた波長の間隔が狭間隔である複数の波長と、各ユーザからの上り信号に割り当てられた波長の間隔が狭間隔である複数の波長は異なる波長でありかつ、各ユーザの下り信号と上り信号は隣り合う波長群の信号を構成する複数の波長が割り当てられており、各ユーザの上り信号に割り当てられた波長の間隔が狭間隔である複数の波長の信号を時間的に切り替えて送信する波長可変レーザと、各ユーザの下り信号に割り当てられた波長の間隔が狭間隔である複数の波長の信号を分離する狭波長間隔の光分波器と、下り信号、上り信号の分離を行う光サーキュレータを備えることを特徴とする。上記構成によれば、センタ局から各ユーザへ送られてくる波長が異なる複数の信号を受信し、センタ局へ波長が異なる複数の信号を送信することができるとともに、１芯の光ファイバで双方向伝送ができる。
【００４３】
【発明の実施の形態】
以下、本発明の各実施の形態について、図面を参照しつつ説明する。なお、前記従来のものと同一又は共通の機能を発揮する部分については同一の符号を用いるものとする。
【００４４】
（実施の形態１　）
図１は、本発明の実施の形態１における波長分割多重システム、センタ光送受信装置、光合分波装置、及びユーザ光送受信装置の構成を示すブロック図である。図中で、センタ局光送受信装置５１−１は、レーザ１１−１〜１１−ｎ、１２−１〜１２−ｎ、１ｎ−１〜１ｎ−ｎ、受信器２１−１〜２１−ｎ、２２−１〜２２−ｎ、２ｎ−１〜２ｎ−ｎ、狭波長間隔合波器３１−１〜３１−ｎ、狭波長間隔分波器３２−１〜３２−ｎ、広波長間隔合波器４１−１、広波長間隔分波器４２−２を有している。センタ局から各ユーザへの分岐点へ下り信号用の光ファイバ５２−１が設置され、分岐点からセンタ局へは上り信号用の光ファイバ５２−２が設置されている。光合分波装置４４−１は、下り信号を各ユーザに分波する広波長間隔分波器４２−１と、各ユーザからの信号を合波する広波長間隔合波器４１−２とを有している。光ファイバ５３−１〜５３−ｎ、５４−１〜５４−ｎが広波長間隔分波器４２−１と、広波長間隔合波器４１−２にそれぞれ接続されている。ユーザ１のユーザ光送受信装置９１−１は、狭波長間隔合波器６１−１、狭波長間隔分波器６２−１、レーザ７１−１〜７１−ｎ、受信器８１−１〜８１−ｎを有している。同様にしてユーザ２のユーザ光送受信装置９１−２は、狭波長間隔合波器６１−２、狭波長間隔分波器６２−２、レーザ７２−１〜７２−ｎ、受信器８２−１〜８２−ｎを有している。ユーザｎのユーザ光送受信装置９１−ｎ　は、狭波長間隔合波器６１−ｎ、狭波長間隔分波器６２−ｎ、レーザ７ｎ−１〜７ｎ−ｎ、受信器８ｎ−１〜８ｎ−ｎを有している。
【００４５】
次にその動作について説明する。まず、センタ局から各ユーザへの下り信号について説明する。センタ局に装備されたレーザの波長は、図２に示すように複数の狭い波長間隔の波長からなる波長群の１つを各ユーザへの下り信号用に割り当てている。レーザからの信号は、まず狭波長間隔合波器３１−１〜３１−ｎにより合波されたのち、広波長間隔合波器４１−１により各波長群が合波され、光ファイバ５２−１により伝送される。伝送された信号は、光合分波装置４４−１において広波長間隔分波器４２−１により波長群ごとに分波され、光ファイバ５３−１〜５３−ｎにより各ユーザのユーザ光送受信装置９１−１〜９１−ｎに伝送される。各ユーザのユーザ光送受信装置９１−１〜９１−ｎでは、狭波長間隔分波器６２−１〜６２−ｎで各波長群の信号を構成している狭波長間隔の各信号が分離され、受信器８１−１〜８１−ｎ、８２−１〜８２−ｎ、８ｎ−１〜８ｎ−ｎにより電気信号に変換され再生される。
【００４６】
一方、各ユーザからセンタ局への上り信号は、各ユーザのユーザ光送受信装置では、下り信号と同じ波長の複数の狭い波長間隔の波長からなる波長群が各ユーザに割当てされている。レーザからの上り信号は、まず狭波長間隔合波器６１−１〜６１−ｎにより各波長群ごとに合波されたのち、下り信号とは異なる光ファイバ５４−１〜５４−ｎにより伝送され、光合分波装置４４−１において広波長間隔合波器４１−２により各波長群が合波され、下り信号とは異なる光ファイバ５２−２によりセンタ局に伝送される。センタ局では、広波長間隔分波器４２−２により波長群ごとに分波されたのち、狭波長間隔分波器３２−１〜３２−ｎで各波長群の信号を構成している狭波長間隔の各信号が分離され、受信器２１−１〜２１−ｎ、２２−１〜２２−ｎ、２ｎ−１〜２ｎ−ｎにより電気信号に変換され再生される。
【００４７】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。
【００４８】
（実施の形態２　）
図３は、本発明の実施の形態２における波長分割多重システム、センタ光送受信装置、光合分波装置、及びユーザ光送受信装置の構成を示すブロック図である。実施の形態２は、実施の形態１がセンタ局と分岐点（光合分波装置）間の下り信号、上り信号それぞれが異なる１本の光ファイバを用いる２芯双方向であるのに対して、１本の光ファイバで下り、上り信号を伝送する１芯双方向の構成である。図中で、センタ局光送受信装置５１−２は、レーザ１１−１〜１１−ｎ、１２−１〜１２−ｎ、１ｎ−１〜１ｎ−ｎ、受信器２１−１〜２１−ｎ、２２−１〜２２−ｎ、２ｎ−１〜２ｎ−ｎ、狭波長間隔合波器３１−１〜３１−ｎ、狭波長間隔分波器３２−１〜３２−ｎ、広波長間隔合分波器４３−１を有している。センタ局から各ユーザへの分岐点への下り信号、及び分岐点からセンタ局への上り信号を光ファイバ５２−３が伝送する。４３−２は下り信号を各ユーザに分波、及び各ユーザからの上り信号を合波する広波長間隔合分波器であり、これにより光合分波装置４４−２が構成されている。５３−１〜５３−ｎ、５４−１〜５４−ｎは光ファイバである。６１−１は狭波長間隔合波器、６２−１は狭波長間隔分波器、７１−１〜７１−ｎはレーザ、８１−１〜８１−ｎは受信器であり、これらよりユーザ１のユーザ光送受信装置９２−１が構成されている。
同様にして６１−２は狭波長間隔合波器、６２−２は狭波長間隔分波器、７２−１〜７２−ｎはレーザ、８２−１〜８２−ｎは受信器であり、これらよりユーザ２のユーザ光送受信装置９２−２、及び６１−ｎは狭波長間隔合波器、６２−ｎは狭波長間隔分波器、７ｎ−１〜７ｎ−ｎはレーザ、８ｎ−１〜８ｎ−ｎは受信器であり、これらよりユーザｎのユーザ光送受信装置９２−ｎが構成されている。
【００４９】
次にその動作について説明する。まず、センタ局から各ユーザへの下り信号について説明する。センタ局に装備されたレーザの波長は、図４に示すように複数の狭い波長間隔のレーザからなる波長群の１つを各ユーザへの下り信号用に割り当てる。これらのレーザからの信号は、まず狭波長間隔合波器３１−１〜３１−ｎにより合波されたのち、広波長間隔合分波器４３−１により各波長群が合波され、光ファイバ５２−３により伝送される。伝送された信号は、光合分波装置４４−２において広波長間隔合分波器４３−２により波長群ごとに分波され、光ファイバ５３−１〜５３−ｎにより各ユーザのユーザ光送受信装置９２−１〜９２−ｎに伝送される。各ユーザのユーザ光送受信装置では、狭波長間隔分波器６２−１〜６２−ｎで各波長群の信号を構成している狭波長間隔の各信号が分離され、受信器８１−１〜８１−ｎ、８２−１〜８２−ｎ、８ｎ−１〜８ｎ−ｎにより電気信号に変換され再生される。
【００５０】
一方、各ユーザからセンタ局への上り信号は、各ユーザのユーザ光送受信装置では、図４に示すように下り信号とは異なる複数の狭い波長間隔の波長からなる波長群が各ユーザに割当されている。これらのレーザからの上り信号は、まず狭波長間隔合波器６１−１〜６１−ｎにより各波長群ごとに合波されたのち、下り信号とは異なる光ファイバ５４−１〜５４−ｎにより伝送され、光合分波装置４４−２において広波長間隔合分波器４３−２により各波長群が合波され、下り信号と同じ光ファイバ５２−３によりセンタ局に伝送される。センタ局では、広波長間隔合分波器４３−１により波長群ごとに分波されたのち、狭波長間隔分波器３２−１〜３２−ｎで各波長群の信号を構成している狭波長間隔の各信号が分離され、受信器２１−１〜２１−ｎ、２２−１〜２２−ｎ、２ｎ−１〜２ｎ−ｎにより電気信号に変換され再生される。
【００５１】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。また、下り信号の波長と上り信号の波長を異なる波長を用いることにより、センタ局から各ユーザへの分岐点まで１芯双方伝送が可能となる。
【００５２】
（実施の形態３　）
図５は、本発明の実施の形態３における波長分割多重システム、センタ光送受信装置、光合分波装置、及びユーザ光送受信装置の構成を示すブロック図である。実施の形態３は、実施の形態２が下り信号、上り信号を異なる波長を割当て１芯双方向の構成であるのに対して、実施の形態３は、下り信号、上り信号が１．３μｍ帯、１．５５μｍ帯というように異なる波長帯の信号で伝送する構成である。図中で、１１−１〜１１−ｎ、１２−１〜１２−ｎ、１ｎ−１〜１ｎ−ｎはレーザ、２１−１〜２１−ｎ、２２−１〜２２−ｎ、２ｎ−１〜２ｎ−ｎは受信器、３１−１〜３１−ｎは狭波長間隔合波器、３２−１〜３２−ｎは狭波長間隔分波器、４１−３は広波長間隔合波器、４２−４は広波長間隔分波器であり、４５−１は１．３／１．５５μｍ波長合分波器であり、これらよりセンタ局光送受信装置５１−３が構成されている。５２−３はセンタ局から各ユーザへの分岐点への下り信号、及び分岐点からセンタ局への上り信号を伝送する光ファイバである。４５−２は１．３／１．５５μｍ波長合分波器、４２−３は下り信号を各ユーザに分波する広波長間隔分波器、４１−４は各ユーザからの信号を合波する広波長間隔合波器であり、これらより光合分波装置４４−３が構成されている。５３−１〜５３−ｎ、５４−１〜５４−ｎは光ファイバである。６１−１は狭波長間隔合波器、６２−１は狭波長間隔分波器、７１−１〜７１−ｎはレーザ、８１−１〜８１−ｎは受信器であり、これらよりユーザ１のユーザ光送受信装置９３−１が構成されている。同様にして６１−２は狭波長間隔合波器、６２−２は狭波長間隔分波器、７２−１〜７２−ｎはレーザ、８２−１〜８２−ｎは受信器であり、これらよりユーザ２のユーザ光送受信装置９３−２、及び６１−ｎは狭波長間隔合波器、６２−ｎは狭波長間隔分波器、７ｎ−１〜７ｎ−ｎはレーザ、８ｎ−１〜８ｎ−ｎは受信器であり、これらよりユーザｎのユーザ光送受信装置９３−ｎが構成されている。
【００５３】
次にその動作について説明する。まず、センタ局から各ユーザへの下り信号について説明する。センタ局に装備されたレーザの波長は、図６に示すように複数の狭い波長間隔の波長からなる波長群の１つを各ユーザへの下り信号用に割り当てる。これらのレーザからの信号は、まず狭波長間隔合波器３１−１〜３１−ｎにより合波されたのち、広波長間隔合波器４３−３により各波長群が合波され、さらに１．３／１．５５μｍ波長合分波器４５−１を通過し、光ファイバ５２−３により伝送される。伝送された信号は、光合分波装置４４−３でまず１．３／１．５５μｍ波長合分波器４４−２を通過し、広波長間隔合分波器４２−３により波長群ごとに分波され、光ファイバ５３−１〜５３−ｎにより各ユーザのユーザ光送受信装置９３−１〜９３−ｎに伝送される。各ユーザのユーザ光送受信装置では、狭波長間隔分波器６２−１〜６２−ｎで各波長群の信号を構成している狭波長間隔の各信号が分離され、受信器８１−１〜８１−ｎ、８２−１〜８２−ｎ、８ｎ−１〜８ｎ−ｎにより電気信号に変換され再生される。
【００５４】
一方、各ユーザからセンタ局への上り信号は、各ユーザのユーザ光送受信装置では、図６に示すように下り信号は異なる波長帯（下り信号が１．５５μｍ帯の場合は上り信号は１．３μｍ帯、下り信号が１．３μｍ帯の場合は上り信号は１．５５μｍ帯）の複数の狭い波長間隔の波長からなる波長群が各ユーザに割当されている。これらのレーザからの上り信号は、まず狭波長間隔合波器６１−１〜６１−ｎにより各波長群ごとに合波されたのち、下り信号と異なる光ファイバ５４−１〜５４−ｎにより伝送され、光合分波装置４４−３でまず広波長間隔合波器４３−４により各波長群が合波され、１．３／１．５５μｍ波長合分波器４５−２を通過し、下り信号と同じ光ファイバ５２−３によりセンタ局に伝送される。センタ局では、１．３／１．５５μｍ波長合分波器４５−１を通過し、広波長間隔分波器４２−４により波長群ごとに分波されたのち、狭波長間隔分波器３２−１〜３２−ｎで各波長群の信号を構成している狭波長間隔の各信号が分離され、受信器２１−１〜２１−ｎ、２２−１〜２２−ｎ、２ｎ−１〜２ｎ−ｎにより電気信号に変換され再生される。
【００５５】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。また、下り信号の波長と上り信号の波長を異なる波長を用いることにより、センタ局から各ユーザへの分岐点まで１芯双方伝送が可能となるほか、下り信号、上り信号が１．３μｍ帯、１．５５μｍ帯というように異なる波長帯の信号で伝送することでより多くの波長を用いることが可能となり、各ユーザの伝送容量を拡大することができる。
【００５６】
（実施の形態４　）
図７は、本発明の実施の形態４における波長分割多重システム、センタ光送受信装置、光合分波装置、及びユーザ光送受信装置の構成を示すブロック図である。実施の形態４は、実施の形態２のセンタ局と分岐点（光合分波装置）間の下り信号、上り信号を１本の光ファイバで伝送する１芯双方向の構成に加えて、分岐点から各ユーザまでも１芯双方の構成を実現したものである。図中で、１１−１〜１１−ｎ、１２−１〜１２−ｎ、１ｎ−１〜１ｎ−ｎはレーザ、２１−１〜２１−ｎ、２２−１〜２２−ｎ、２ｎ−１〜２ｎ−ｎは受信器、３３−１〜３３−ｎは狭波長間隔合分波器、４３−３は広波長間隔合分波器であり、これらよりセンタ局光送受信装置５１−４が構成されている。５２−３はセンタ局からユーザへの分岐点への下り信号、及び分岐点からセンタ局への上り信号を伝送する光ファイバである。４３−４は下り信号を各ユーザに分波、及び各ユーザからの上り信号を合波する広波長間隔合分波器であり、これにより光合分波装置４４−４が構成されている。５５−１〜５５−ｎは分岐点から各ユーザへの下り信号、及び各ユーザから分岐点への上り信号を伝送する光ファイバである。６３−１は狭波長間隔合分波器、７１−１〜７１−ｎはレーザ、８１−１〜８１−ｎは受信器であり、これらよりユーザ１のユーザ光送受信装置９４−１が構成されている。同様にして６３−２は狭波長間隔合分波器、７２−１〜７２−ｎはレーザ、８２−１〜８２−ｎは受信器であり、これらよりユーザ２のユーザ光送受信装置９４−２、及び６３−ｎは狭波長間隔合分波器、７ｎ−１〜７ｎ−ｎはレーザ、８ｎ−１〜８ｎ−ｎは受信器であり、これらよりユーザｎのユーザ光送受信装置９４−ｎが構成されている。
【００５７】
次にその動作について説明する。まず、センタ局から各ユーザへの下り信号について説明する。センタ局に装備されたレーザの波長は、図８に示すように複数の狭い波長間隔のレーザからなる波長群の１つを各ユーザへの下り信号用に割り当てる。これらのレーザからの信号は、まず狭波長間隔合分波器３３−１〜３３−ｎにより合波されたのち、広波長間隔合分波器４３−３により各波長群が合波され、光ファイバ５２−３により伝送される。伝送された信号は、光合分波装置４４−４において広波長間隔合分波器４３−４により波長群ごとに分波され、光ファイバ５５−１〜５５−ｎにより各ユーザのユーザ光送受信装置９１−１〜９１−ｎに伝送される。各ユーザのユーザ光送受信装置では、狭波長間隔合分波器６３−１〜６３−ｎで各波長群の信号を構成している狭波長間隔の各信号が分離され、受信器８１−１〜８１−ｎ、８２−１〜８２−ｎ、８ｎ−１〜８ｎ−ｎにより電気信号に変換され再生される。
【００５８】
一方、各ユーザからセンタ局への上り信号は、各ユーザのユーザ光送受信装置では、図８に示すように下り信号とは隣り合う異なる複数の狭い波長間隔の波長群が各ユーザに割当されている。これらのレーザからの上り信号は、まず狭波長間隔合分波器６３−１〜６３−ｎにより各波長群ごとに合波されたのち、下り信号とは同じ光ファイバ５５−１〜５５−ｎにより伝送され、光合分波装置４４−４において広波長間隔合分波器４３−４により各波長群が合波される。ここで、この広波長間隔合分波器４３−４の特性を図８に示すように波長群が隣り合う各ユーザの下り信号と上り信号の波長群の信号を１つのポート出力することにより、分岐点と各ユーザ間の１芯双方向伝送を実現できる。各波長群が合波された上り信号は、下り信号と同じ光ファイバ５２−３によりセンタ局に伝送される。センタ局では、広波長間隔合分波器４３−３により波長群ごとに分波されたのち、狭波長間隔合分波器３３−１〜３３−ｎで各波長群の信号を構成している狭波長間隔の各信号が分離され、受信器２１−１〜２１−ｎ、２２−１〜２２−ｎ、２ｎ−１〜２ｎ−ｎにより電気信号に変換され再生される。
【００５９】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。また、下り信号の波長と上り信号の波長を異なる波長を用いることにより、センタ局から各ユーザへの分岐点まで１芯双方伝送が可能となるほか、１つのユーザの下り信号と上り信号に隣り合う波長群の信号を割り当てることにより、分岐点から各ユーザまでも１芯双方伝送が可能となる。
【００６０】
（実施の形態５）
図９は、本発明の実施の形態５における波長分割多重システム、センタ光送受信装置、及びユーザ光送受信装置の構成を示すブロック図である。ただし、実施の形態５の波長分割多重システムでの光合分波装置は実施の形態１と同様の構成をとる。図中で、１０１−１〜１０１−ｎは波長可変レーザ、２１−１〜２１−ｎ、２２−１〜２２−ｎ、２ｎ−１〜２ｎ−ｎは受信器、３２−１〜３２−ｎは狭波長間隔分波器、４１−１は広波長間隔合波器、４２−２は広波長間隔分波器であり、これらよりセンタ局光送受信装置５１−５が構成されている。５２−１はセンタ局から各ユーザへの分岐点への下り信号用の光ファイバであり、５２−２は分岐点からセンタ局への上り信号用の光ファイバである。４２−１は下り信号を各ユーザに分波する広波長間隔分波器、４１−２は各ユーザからの信号を合波する広波長間隔合波器であり、これらより光合分波装置４４−１が構成されている。５３−１〜５３−ｎ、５４−１〜５４−ｎは光ファイバである。６２−１は狭波長間隔分波器、１０２−１は波長可変レーザ、８１−１〜８１−ｎは受信器であり、これらよりユーザ１のユーザ光送受信装置９５−１が構成されている。同様にして６２−２は狭波長間隔分波器、１０２−２は波長可変レーザ、８２−１〜８２−ｎは受信器であり、これらよりユーザ２のユーザ光送受信装置９５−２、及び６２−ｎは狭波長間隔分波器、１０２−ｎは波長可変レーザ、８ｎ−１〜８ｎ−ｎは受信器であり、これらよりユーザｎのユーザ光送受信装置９５−ｎが構成されている。
【００６１】
次にその動作について説明する。まず、センタ局から各ユーザへの下り信号について説明する。センタ局に装備された波長可変レーザの図１０に示すように一定時間ごとに異なる波長光バースト信号を送信し、図２に示すように複数の狭い波長間隔からなる波長群の１つを各ユーザへの下り信号用に割り当てている。波長可変レーザ１０１−１〜１０１−ｎからの信号は、広波長間隔合波器４１−１により各波長群が合波され、光ファイバ５２−１により伝送される。伝送された信号は、光合分波装置４４−１において広波長間隔分波器４２−１により波長群ごとに分波され、光ファイバ５３−１〜５３−ｎにより各ユーザのユーザ光送受信装置９５−１〜９５−ｎに伝送される。各ユーザのユーザ光送受信装置では、狭波長間隔分波器６２−１〜６２−ｎで各波長群の信号を構成している狭波長間隔の各光ハ゛ースト信号が分離され、受信器８１−１〜８１−ｎ、８２−１〜８２−ｎ、８ｎ−１〜８ｎ−ｎにより電気信号に変換され再生される。
【００６２】
一方、各ユーザからセンタ局への上り信号は、各ユーザのユーザ送受信装置では、下り信号と同じ波長の複数の狭い波長間隔の波長の信号を時間的に変化させて光バースト信号を送出する波長可変レーザ１０２−１〜１０２−ｎが各ユーザに割当てられる。これらの波長可変レーザ１０２−１〜１０２−ｎからの上り信号は、下り信号とは異なる光ファイバ５４−１〜５４−ｎにより伝送され、光合分波装置４４−１において広波長間隔合波器４１−２により各波長群が合波され、下り信号とは異なる光ファイバ５２−２によりセンタ局に伝送される。センタ局では、広波長間隔分波器４２−２により波長群ごとに分波されたのち、狭波長間隔分波器３２−１〜３２−ｎで各波長群の信号を構成している狭波長間隔の各光ハ゛ースト信号が分離され、受信器２１−１〜２１−ｎ、２２−１〜２２−ｎ、２ｎ−１〜２ｎ−ｎにより電気信号に変換され再生される。
【００６３】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長（空きスロット）を用いることにより、光ファイバの新たな敷設や光送受信装置の交換などを必要とせず、簡単に拡張可能となる。また、狭波長間隔の複数の波長の信号を送信するために、複数の波長を使用するのではなく、波長可変レーザを用いて一定時間ごとに波長を変化させることにより、センタ局、ユーザ端末ともにレーザ数を削減することができ、コスト低減、装置のコンパクト化を図ることができる。
【００６４】
（実施の形態６）
図１１は、本発明の実施の形態６における波長分割多重システム、センタ光送受信装置、及びユーザ光送受信装置の構成を示すブロック図である。ただし、実施の形態６の波長分割多重システムでの光合分波装置は実施の形態２と同様の構成をとる。実施の形態６は、実施の形態５が下り信号、上り信号それぞれが１本の光ファイバを用いる２芯双方向であるのに対して、１本の光ファイバで下り、上り信号を伝送する１芯双方向の構成である。図中で、１０１−１〜１０１−ｎは波長可変レーザ、２１−１〜２１−ｎ、２２−１〜２２−ｎ、２ｎ−１〜２ｎ−ｎは受信器、３２−１〜３２−ｎは狭波長間隔分波器、４３−１は広波長間隔合分波器であり、これらよりセンタ局光送受信装置５１−６が構成されている。５２−３はセンタ局から各ユーザへの分岐点の下り信号、及び分岐点からセンタ局への上り信号を伝送する光ファイバである。４３−２は下り信号を各ユーザに分波、及び各ユーザからの上り信号を合波する広波長間隔合分波器であり、これらより光合分波装置４４−２が構成されている。５３−１〜５３−ｎ、５４−１〜５４−ｎは光ファイバである。６２−１は狭波長間隔分波器、１０２−１は波長可変レーザ、８１−１〜８１−ｎは受信器であり、これらよりユーザ１のユーザ光送受信装置９６−１が構成されている。同様にして６２−２は狭波長間隔分波器、１０２−２は波長可変レーザ、８２−１〜８２−ｎは受信器であり、これらよりユーザ２のユーザ光送受信装置９６−２、及び６２−ｎは狭波長間隔分波器、１０２−ｎは波長可変レーザ、８ｎ−１〜８ｎ−ｎは受信器であり、これらよりユーザｎのユーザ光送受信装置９６−ｎが構成されている。
【００６５】
次にその動作について説明する。まず、センタ局から各ユーザへの下り信号について説明する。センタ局に装備された波長可変レーザの図１０に示すように一定時間ごとに異なる波長の信号を送信し、図４に示すように複数の狭い波長間隔からなる波長群の１つを各ユーザへの下り信号用に割り当てている。波長可変レーザ１０１−１〜１０１−ｎからの信号は、広波長間隔合分波器４３−１により各波長群が合波され、光ファイバ５２−３により伝送される。伝送された信号は、光合分波装置４４−２で広波長間隔合分波器４３−２により波長群ごとに分波され、光ファイバ５３−１〜５３−１ｎにより各ユーザのユーザ光送受信装置９６−１〜９６−ｎに伝送される。各ユーザのユーザ光送受信装置では、狭波長間隔分波器６２−１〜６２−ｎで各波長群の信号を構成している狭波長間隔の各光ハ゛ースト信号が分離され、受信器８１−１〜８１−ｎ、８２−１〜８２−ｎ、８ｎ−１〜８ｎ−ｎにより電気信号に変換され再生される。
【００６６】
一方、各ユーザからセンタ局への上り信号は、各ユーザのユーザ光送受信装置では、下り信号は異なる複数の狭い波長間隔の波長からなる波長群が割り当てられており、各ユーザ端末の波長可変レーザ１０２−１〜１０２−ｎは、割り当てられた波長を一定時間毎に送出する。これらの波長可変レーザ１０２−１〜１０２−ｎからの上り信号は、下り信号とは異なる光ファイバ５４−１〜５４−ｎにより伝送され、広波長間隔合分波器４３−２により各波長群が合波され、下り信号と同じ光ファイバ５２−３によりセンタ局に伝送される。センタ局では、広波長間隔合分波器４３−１により波長群ごとに分波されたのち、狭波長間隔分波器３２−１〜３２−ｎで各波長群の信号を構成している狭波長間隔の各光ハ゛ースト信号が分離され、受信器２１−１〜２１−ｎ、２２−１〜２２−ｎ、２ｎ−１〜２ｎ−ｎにより電気信号に変換され再生される。
【００６７】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長（空きスロット）を用いることにより、光ファイバの新たな敷設や光送受信装置の交換などを必要とせず、簡単に拡張可能となる。また、狭波長間隔の複数の波長の信号を送信するために、複数の波長を使用するのではなく、波長可変レーザを用いて一定時間ごとに波長を変化させることにより、センタ局、ユーザ端末ともにレーザ数を削減することができ、コスト低減、装置のコンパクト化を図ることができる。また、下り信号の波長と上り信号の波長を異なる波長を用いることにより、センタ局から各ユーザへの分岐点まで１芯双方伝送が可能となる。
【００６８】
（実施の形態７）
図１２は、本発明の実施の形態７における波長分割多重システム、センタ光送受信装置、及びユーザ光送受信装置の構成を示すブロック図である。ただし、実施の形態７の波長分割多重システムでの光合分波装置は実施の形態３と同様の構成をとる。実施の形態７は、実施の形態６が下り信号、上り信号を異なる波長を割当て１芯双方向の構成であるのに対して、実施の形態７は、下り信号、上り信号が１．３μｍ帯、１．５５μｍ帯の組合せのように異なる波長帯の信号で伝送する構成である。図中で、１０１−１〜１０１−ｎは波長可変レーザ、２１−１〜２１−ｎ、２２−１〜２２−ｎ、２ｎ−１〜２ｎ−ｎは受信器、３２−１〜３２−ｎは狭波長間隔分波器、４１−３は広波長間隔合波器、４２−４は広波長間隔分波器であり、４５−１は１．３／１．５５μｍ波長合分波器であり、これらよりセンタ局光送受信装置５１−７が構成されている。５２−３はセンタ局から各ユーザへの分岐点への下り信号、及び各分岐点からセンタ局への上り信号を伝送する光ファイバである。４５−２は１．３／１．５５μｍ波長合分波器、４２−３は下り信号を各ユーザに分波する広波長間隔分波器、４１−４は各ユーザからの信号を合波する広波長間隔合波器であり、これらより光合分波装置４４−３が構成されている。５３−１〜５３−ｎ、５４−１〜５４−ｎは光ファイバである。６２−１は狭波長間隔分波器、１０２−１は波長可変レーザ、８１−１〜８１−ｎは受信器であり、これらよりユーザ１のユーザ光送受信装置９７−１が構成されている。同様にして６１−２は狭波長間隔合波器、６２−２は狭波長間隔分波器、１０２−２は波長可変レーザ、８２−１〜８２−ｎは受信器であり、これらよりユーザ２のユーザ光送受信装置９７−２、及び６１−ｎは狭波長間隔合波器、６２−ｎは狭波長間隔分波器、１０２−ｎは波長可変レーザ、８ｎ−１〜８ｎ−ｎは受信器であり、これらよりユーザｎのユーザ光送受信装置９７−ｎが構成されている。
【００６９】
次にその動作について説明する。まず、センタ局から各ユーザへの下り信号について説明する。センタ局に装備された波長可変レーザは図１０に示すように一定時間ごとに異なる波長の信号を送信し、図６に示すように複数の狭い波長間隔からなる波長群の１つを各ユーザへの下り信号用に割り当てている。波長可変レーザ１０１−１〜１０１−ｎからの信号は、広波長間隔合波器４１−３により各波長群が合波され、さらに１．３／１．５５μｍ波長合分波器４５−１を通過し、光ファイバ５２−３により伝送される。伝送された信号は、光合分波装置４４−３でまず１．３／１．５５μｍ波長合分波器４５−２を通過し、広波長間隔分波器４２−３により波長群ごとに分波され、光ファイバ５３−１〜５３−ｎにより各ユーザのユーザ光送受信装置９７−１〜９７−ｎに伝送される。各ユーザのユーザ光送受信装置では、狭波長間隔分波器６２−１〜６２−ｎで各波長群の信号を構成している狭波長間隔の各光ハ゛ースト信号が分離され、受信器８１−１〜８１−ｎ、８２−１〜８２−ｎ、８ｎ−１〜８ｎ−ｎにより電気信号に変換され再生される。
【００７０】
一方、各ユーザからセンタ局への上り信号は、各ユーザのユーザ光送受信装置では、図６に示すように下り信号とは異なる波長帯（下り信号が１．５５μｍ帯の場合は上り信号は１．３μｍ帯、下り信号が１．３μｍ帯の場合は、上り信号は１．５５μｍ帯）からなる波長群が割り当てられており、各ユーザ端末の波長可変レーザ１０２−１〜１０２−ｎは、割り当てられた波長を一定時間毎に送出する。これらの波長可変レーザ１０２−１〜１０２−ｎからの上り信号は、下り信号とは異なる光ファイバ５４−１〜５４−ｎにより伝送され、光合分波装置４４−３でまず広波長間隔合波器４１−４により各波長群が合波され、１．３／１．５５μｍ波長合分波器４５−２を通過し、下り信号と同じ光ファイバ５２−３によりセンタ局に伝送される。センタ局では、１．３／１．５５μｍ波長合分波器４５−１を通過し、広波長間隔分波器４２−４により波長群ごとに分波されたのち、狭波長間隔分波器３２−１〜３２−ｎで各波長群の信号を構成している狭波長間隔の各光ハ゛ースト信号が分離され、受信器２１−１〜２１−ｎ、２２−１〜２２−ｎ、２ｎ−１〜２ｎ−ｎにより電気信号に変換され再生される
【００７１】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能になる。また、狭波長間隔の複数の波長の信号を送信するために、複数の波長を使用するのではなく、波長可変レーザを用いて一定時間ごとに波長を変化させることにより、センタ局、ユーザ端末共にレーザ数を削減することができ、コスト低減、装置のコンパクト化を図ることができる。さらに、下り信号の波長と上り信号の波長を異なる波長を用いることにより、センタ局から各ユーザへの分岐点まで１芯双方伝送が可能となるほか、下り信号、上り信号が１．３μｍ帯、１．５５μｍ帯というように異なる波長帯の信号で伝送することでより多くの波長を用いることが可能となり、各ユーザの伝送容量を拡大することができる。
【００７２】
（実施の形態８　）
図１３は、本発明の実施の形態８における波長分割多重システム、センタ光送受信装置、及びユーザ光送受信装置の構成を示すブロック図である。ただし、実施の形態８の波長分割多重システムでの光合分波装置は実施の形態４と同様の構成をとる。実施の形態８は、実施の形態６がセンタ局と分岐点（光合分波装置）間の下り信号、上り信号を１本の光ファイバで伝送する１芯双方向の構成であるのに加えて、分岐点から各ユーザまでも１芯双方向の構成を実現したものである。図中で、１０１−１〜１０１−ｎはレーザ、２１−１〜２１−ｎ、２２−１〜２２−ｎ、２ｎ−１〜２ｎ−ｎは受信器、３２−１〜３２−ｎは狭波長間隔分波器、１２１−１〜１２１−ｎは光サーキュレータ、４３−３は広波長間隔合分波器であり、これらよりセンタ局光送受信装置５１−８が構成されている。５２−３はセンタ局から分岐点への下り信号、及び分岐点からセンタ局への上り信号を伝送する光ファイバである。４３−４は下り信号を各ユーザに分波、及び各ユーザからの上り信号を合波する広波長間隔合分波器であり、これより光合分波装置４４−４が構成されている。５５−１〜５５−ｎは分岐点から各ユーザへの下り信号、及び各ユーザから分岐点への上り信号を伝送する光ファイバである。６２−１は狭波長間隔分波器、１２２−１は光サーキュレータ、１０２−１は波長可変レーザ、８１−１〜８１−ｎは受信器であり、これらよりユーザ１のユーザ光送受信装置９８−１が構成されている。同様にして６２−２は狭波長間隔分波器、１２２−２は光サーキュレータ、１０２−２は波長可変レーザ、８２−１〜８２−ｎは受信器であり、これらよりユーザ２のユーザ光送受信装置９８−２、及び６２−ｎは狭波長間隔分波器、１２１−ｎは光サーキュレータ、１０２−ｎは波長可変レーザ、８ｎ−１〜８ｎ−ｎは受信器であり、これらよりユーザｎのユーザ光送受信装置９８−ｎが構成されている。
【００７３】
次にその動作について説明する。まず、センタ局から各ユーザへの下り信号について説明する。センタ局に装備された波長可変レーザの図１０に示すように一定時間ごとに異なる波長の信号を送信し、図８に示すように複数の狭い波長間隔からなる波長群の１つを各ユーザへの下り信号用に割り当てている。波長可変レーザ１０１−１〜１０１−ｎからの信号は、光サーキュレータ１２１−１〜１２１−ｎにより上り信号と合分波され、広波長間隔合分波器４３−３により各波長群が合波され、光ファイバ５２−３により伝送される。伝送された信号は、光合分波装置４４−４で広波長間隔合分波器４３−４により波長群ごとに分波され、光ファイバ５５−１〜５５−ｎにより各ユーザのユーザ光送受信装置９８−１〜９８−ｎに伝送される。各ユーザのユーザ光送受信装置では、光サーキュレータ１２２−２〜１２２−ｎにより上り信号と合分波され、狭波長間隔分波器６２−１〜６２−ｎで各波長群の信号を構成している狭波長間隔の各光ハ゛ースト信号が分離され、受信器８１−１〜８１−ｎ、８２−１〜８２−ｎ、８ｎ−１〜８ｎ−ｎにより電気信号に変換され再生される。
【００７４】
一方、各ユーザからセンタ局への上り信号は、各ユーザのユーザ光送受信装置では、図８に示すように下り信号とは隣り合う異なる複数の狭い波長間隔の波長群が各ユーザに割当されている。各ユーザ端末の波長可変レーザ１０２−１〜１０２−ｎは、割り当てられた波長を一定時間毎に送出する。これらの波長可変レーザ１０２−１〜１０２−ｎからの上り信号は、光サーキュレータ１２２−１〜１２２−ｎにより下り信号と合分波され、下り信号とは同じ光ファイバ５５−１〜５５−ｎにより伝送され、光合分波装置４４−４において広波長間隔合分波器４３−４により各波長群が合波される。ここで、この広波長間隔合分波器４３−４の特性を図８に示すように波長群が隣り合う各ユーザの下り信号と上り信号の波長群の信号を１つのポート出力することにより、分岐点と各ユーザ間の１芯双方向伝送を実現できる。各波長群が合波された上り信号は、下り信号と同じ光ファイバ５２−３によりセンタ局に伝送される。センタ局では、広波長間隔合分波器４３−３により波長群ごとに分波されたのち、光サーキュレータ１２２−１〜１２２−ｎ　により下り信号と合分波され、狭波長間隔分波器３２−１〜３２−ｎで各波長群の信号を構成している狭波長間隔の各信号が分離され、受信器２１−１〜２１−ｎ、２２−１〜２２−ｎ、２ｎ−１〜２ｎ−ｎにより電気信号に変換され再生される。
【００７５】
以上のように本実施の形態によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長（空きスロット）を用いることにより、光ファイバの新たな敷設や光送受信装置の交換などを必要とせず、簡単に拡張可能となる。また、狭波長間隔の複数の波長の信号を送信するために、複数の波長を使用するのではなく、波長可変レーザを用いて一定時間ごとに波長を変化させることにより、センタ局、ユーザ端末ともにレーザ数を削減することができ、コスト低減、装置のコンパクト化を図ることができる。また、下り信号の波長と上り信号の波長を異なる波長を用いることにより、センタ局から各ユーザへの分岐点まで１芯双方伝送が可能となるほか、１つのユーザの下り信号と上り信号に隣り合う波長群の信号を割り当てることにより、分岐点から各ユーザまでも１芯双方伝送が可能となる。
【００７６】
【発明の効果】
請求項１の波長分割多重システム、請求項２のセンタ局光送受信装置、請求項３の光合分波装置、請求項４のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。
【００７７】
請求項５の波長分割多重システム、請求項６のセンタ局光送受信装置、請求項７の光合分波装置、請求項８のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。また、下り信号と上り信号の伝送において異なる光ファイバを用いることにより、双方向伝送が可能となる。
【００７８】
請求項９の波長分割多重システム、請求項１０のセンタ局光送受信装置、請求項１１の光合分波装置、請求項１２のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。また、下り信号の波長と上り信号の波長を異なる波長を用いることにより、センタ局から各ユーザへの分岐点まで１芯双方伝送が可能となる。
【００７９】
請求項１３の波長分割多重システム、請求項１４のセンタ局光送受信装置、請求項１５の光合分波装置、請求項１６のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。また、下り信号の波長と上り信号の波長を異なる波長を用いることにより、センタ局から各ユーザへの分岐点まで１芯双方伝送が可能となるほか、下り信号、上り信号が１．３μｍ帯、１．５５μｍ帯というように異なる波長帯の信号で伝送することでより多くの波長を用いることが可能となり、各ユーザの伝送容量を拡大することができる。
【００８０】
請求項１７の波長分割多重システム、請求項１８のセンタ局光送受信装置、請求項１９の光合分波装置、請求項２０のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能となる。また、下り信号の波長と上り信号の波長を異なる波長を用いることにより、センタ局から各ユーザへの分岐点まで１芯双方伝送が可能となるほか、１つのユーザの下り信号と上り信号に隣り合う波長群の信号を割り当てることにより、分岐点から各ユーザまでも１芯双方伝送が可能となる。
【００８１】
請求項２１の波長分割多重システムによれば、各ユーザに割り当てられる波長で伝送するサービスは各波長でプロトコルが異なるなど様々なサービスであることにより、様々なサービス多重が可能となる。
【００８２】
請求項２２の波長分割多重システム、請求項２３のセンタ局光送受信装置、請求項３の光合分波装置、請求項２４のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長（空きスロット）を用いることにより、光ファイバの新たな敷設や光送受信装置の交換などを必要とせず、簡単に拡張可能となる。また、狭波長間隔の複数の波長の信号を送信するために、複数の波長を使用するのではなく、波長可変レーザを用いて一定時間ごとに波長を変化させることにより、センタ局、ユーザ端末共にレーザ数を削減することができ、コスト低減、装置のコンパクト化を図ることができる。
【００８３】
請求項２５の波長分割多重システム、請求項２６のセンタ局光送受信装置、請求項７の光合分波装置、請求項２７のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長（空きスロット）を用いることにより、光ファイバの新たな敷設や光送受信装置の交換などを必要とせず、簡単に拡張可能となる。また、狭波長間隔の複数の波長の信号を送信するために、複数の波長を使用するのではなく、波長可変レーザを用いて一定時間ごとに波長を変化させることにより、センタ局、ユーザ端末ともにレーザ数を削減することができ、コスト低減、装置のコンパクト化を図ることができる。また、下り信号と上り信号の伝送において異なる光ファイバを用いることにより、双方向伝送が可能となる。
【００８４】
請求項２８の波長分割多重システム、請求項２９のセンタ局光送受信装置、請求項１１の光合分波装置、請求項３０のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長（空きスロット）を用いることにより、光ファイバの新たな敷設や光送受信装置の交換などを必要とせず、簡単に拡張可能となる。また、狭波長間隔の複数の波長の信号を送信するために、複数の波長を使用するのではなく、波長可変レーザを用いて一定時間ごとに波長を変化させることにより、センタ局、ユーザ端末ともにレーザ数を削減することができ、コスト低減、装置のコンパクト化を図ることができる。また、下り信号の波長と上り信号の波長を異なる波長を用いることにより、センタ局から各ユーザへの分岐点まで１芯双方伝送が可能となる。
【００８５】
請求項３１の波長分割多重システム、請求項３２のセンタ局光送受信装置、請求項１５の光合分波装置、請求項３３のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長を用いることにより、光ファイバの新たな敷設や光送受信装置の交換などを必要とせず、簡単に拡張可能になる。また、狭波長間隔の複数の波長の信号を送信するために、複数の波長を使用するのではなく、波長可変レーザを用いて一定時間ごとに波長を変化させることにより、センタ局、ユーザ端末ともにレーザ数を削減することができ、コスト低減、装置のコンパクト化を図ることができる。さらに、下り信号の波長と上り信号の波長を異なる波長を用いることにより、センタ局から各ユーザへの分岐点まで１芯双方伝送が可能となるほか、下り信号、上り信号が１．３μｍ帯、１．５５μｍ帯というように異なる波長帯の信号で伝送することでより多くの波長を用いることが可能となり、各ユーザの伝送容量を拡大することができる。
【００８６】
請求項３４の波長分割多重システム、請求項３５のセンタ局光送受信装置、請求項１９の光合分波装置、請求項３６のユーザ光送受信装置によれば、各ユーザに対して波長の間隔が狭間隔である複数の波長からなる波長群を割り当てることにより、１ユーザの伝送容量の拡大ができる。また、サービス後のサービス拡張時においても、サービスのプロトコルなどの違いによらず、各ユーザに割り当てられる複数の波長のうち空き波長（空きスロット）を用いることにより、光ファイバの新たな敷設や光送受信装置の交換などを必要とせず、簡単に拡張可能となる。また、狭波長間隔の複数の波長の信号を送信するために、複数の波長を使用するのではなく、波長可変レーザを用いて一定時間ごとに波長を変化させることにより、センタ局、ユーザ端末ともにレーザ数を削減することができ、コスト低減、装置のコンパクト化を図ることができる。また、下り信号の波長と上り信号の波長を異なる波長を用いることにより、センタ局から各ユーザへの分岐点まで１芯双方伝送が可能となるほか、１つのユーザの下り信号と上り信号に隣り合う波長群の信号を割り当てることにより、分岐点から各ユーザまでも１芯双方伝送が可能となる。
【００８７】
請求項３７の波長分割多重システムによれば、各ユーザに割り当てられる波長で伝送するサービスは各波長でプロトコルが異なるなど様々なサービスであることにより、様々なサービス多重が可能となる。
【図面の簡単な説明】
【図１】本発明の波長分割多重システム、センタ光送受信装置、光合分波装置、及びユーザ光送受信装置の実施の形態１における構成を示す図
【図２】本発明の波長分割多重システムの実施の形態１、５における波長配置を示す図
【図３】本発明の波長分割多重システム、センタ光送受信装置、光合分波装置、及びユーザ光送受信装置の実施の形態２における構成を示す図
【図４】本発明の波長分割多重システムの実施の形態２、６における波長配置を示す図
【図５】本発明の波長分割多重システム、センタ光送受信装置、光合分波装置、及びユーザ光送受信装置の実施の形態３における構成を示す図
【図６】本発明の波長分割多重システムの実施の形態３、７における波長配置を示す図
【図７】本発明の波長分割多重システム、センタ光送受信装置、光合分波装置、及びユーザ光送受信装置の実施の形態４における構成を示す図
【図８】本発明の波長分割多重システムの実施の形態４、８における波長配置を示す図
【図９】本発明の波長分割多重システム、センタ光送受信装置、及びユーザ光送受信装置の実施の形態５における構成を示す図
【図１０】本発明の波長分割多重システムの実施の形態における波長可変レーザの出力波長の時間的変化を示す図
【図１１】本発明の波長分割多重システム、センタ光送受信装置、及びユーザ光送受信装置の実施の形態６における構成を示す図
【図１２】本発明の波長分割多重システム、センタ光送受信装置、及びユーザ光送受信装置の実施の形態７における構成を示す図
【図１３】本発明の波長分割多重システム、センタ光送受信装置、及びユーザ光送受信装置の実施の形態８における構成を示す図
【図１４】従来の波長分割多重システムの構成を示す図
【図１５】従来の波長分割多重システムの構成を示す図
【符号の説明】
１１〜１ｎ、１１−１〜１１−ｎ、１２−１〜１２−ｎ、１ｎ−１〜１ｎ−ｎ、７１、７１−１〜７１−ｎ、７２−１〜７２−ｎ、７ｎ−１〜７ｎ−ｎ　レーザ
２１〜２ｎ、２１−１〜２１−ｎ、２２−１〜２２−ｎ、２ｎ−１〜２ｎ−ｎ、８１、８１−１〜８１−ｎ、８２−１〜８２−ｎ、８ｎ−１〜８ｎ−ｎ　受信器
３１−１〜３１−ｎ、６１−１〜６１−ｎ　狭波長間隔合波器
３２−１〜３２−ｎ、３３−１〜３３−ｎ、６２−１〜６２−ｎ　狭波長間隔分波器
４１、４４　合波器
４１−１、４１−２、４１−３、４１−４　広波長間隔合波器
４２、４３　分波器
４２−２、４２−１、４３−１、４３−２、４３−３、４３−４、４２−４、４２−３　広波長間隔分波器
４４−１、４４−２、４４−３、４４−４、４５　光合分波装置
４５−１、４５−２　１．３／１．５５μｍ波長合分波器
５１−１、５１−２、５１−３、５１−４、５１−５、５１−６、５１−７、５１−８　センタ局光送受信装置
５２〜５９、５２−１〜５２−２、５２−３、５３−１〜５３−ｎ、５４−１〜５４−ｎ、５５−１〜５５−ｎ　光ファイバ
６１　センタ局光送信装置
６３−１〜６３−ｎ　狭波長間隔合分波器
９１、９１−１〜９１−ｎ、９２−１〜９２−ｎ、９４−１〜９４−ｎ、９５−１〜９５−ｎ、９６−１〜９６−ｎ、９７−１〜９７−ｎ、９８−１〜９８−ｎ　ユーザ光送受信装置
９３−１〜９３−ｎ　ユーザ光送受信装置
１０１−１〜１０１−ｎ、１０２−１〜１０２−ｎ　波長可変レーザ
１２１−１〜１２１−ｎ、１２２−１〜１２２−ｎ　光サーキュレータ
【図１】
2004032439.tif 000003
【図２】
2004032439.tif 000004
【図３】
2004032439.tif 000005
【図４】
2004032439.tif 000006
【図５】
2004032439.tif 000007
【図６】
2004032439.tif 000008
【図７】
2004032439.tif 000009
【図８】
2004032439.tif 000010
【図９】
2004032439.tif 000011
【図１０】
2004032439.tif 000012
【図１１】
2004032439.tif 000013
【図１２】
2004032439.tif 000014
【図１３】
2004032439.tif 000015
【図１４】
2004032439.tif 000016
【図１５】
2004032439.tif 000017